【事件の表示】
　特願２０１６−　８０１８８「遊技機」拒絶査定不服審判事件〔平成２８年　８月１８日出願公開、特開２０１６−１４７１０５〕について、次のとおり審決する。
【結　論】
　本件審判の請求は、成り立たない。
【理　由】
 第１　手続の経緯
　本願は、平成２４年１０月３日に出願した特願２０１２−２２１４５２号の一部を平成２８年４月１３日に新たな特許出願（特願２０１６−８０１８８号）としたものであって、平成２９年２月２７日付けで拒絶の理由が通知され、平成２９年４月２５日に意見書及び手続補正書が提出され、平成２９年９月２０日付けで最後の拒絶の理由が通知され、平成２９年１１月２４日に意見書及び手続補正書が提出されたところ、平成３０年３月２８日付け（発送日：平成３０年４月３日）で、平成２９年１１月２４日になされた手続補正が却下されるとともに拒絶査定がなされ、それに対して、平成３０年６月２９日に拒絶査定不服審判の請求がなされると同時に手続補正がなされたものである。
第２　平成３０年６月２９日にされた手続補正についての補正却下の決定
［補正の却下の決定の結論］
　平成３０年６月２９日にされた手続補正（以下「本件補正」という。）を却下する。
［理由］
１．本件補正の概要
　本件補正は特許請求の範囲の請求項１を補正する内容を含んでおり、平成２９年４月２５日になされた手続補正後の特許請求の範囲の請求項１と本件補正後の特許請求の範囲の請求項１の記載はそれぞれ、以下のとおりである（下線部は、補正箇所を示す。）。
（補正前：平成２９年４月２５日になされた手続補正）
「【請求項１】
　特定領域を遊技媒体が通過したことに基づいて、遊技者に遊技価値を付与可能な遊技機であって、
　前記特定領域を遊技媒体が通過可能な第１状態と遊技媒体が通過不可能または通過困難な第２状態とに変化する可変入賞手段と、
　前記特定領域を遊技媒体が通過したタイミングに応じて、異なる割合により通過演出を実行する演出実行手段とを備え、
　前記特定領域を遊技媒体が通過したタイミングにかかわらず、前記遊技価値を付与可能である、
　ことを特徴とする遊技機。」
（補正後：本件補正である平成３０年６月２９日になされた手続補正）
「【請求項１】
　特定領域を遊技媒体が通過したことに基づいて、遊技者に遊技価値を付与可能な遊技機であって、
　前記特定領域を遊技媒体が通過可能な第１状態と遊技媒体が通過不可能または通過困難な第２状態とに変化する可変入賞手段と、
　
少なくとも、第１タイミングにて
ときと、前記第１タイミングとは異なる第２タイミングにて前記特定領域を遊技媒体が通過したときに、
可能な
　
前記演出実行手段は、前記第１タイミングにて前記特定領域を遊技媒体が通過したときと、前記第２タイミングにて前記特定領域を遊技媒体が通過したときとで、異なる割合により前記通過演出を実行可能であり、
　前記特定領域を遊技媒体が通過したタイミングにかかわらず、前記遊技価値を付与可能である、
　ことを特徴とする遊技機。」
２．本件補正の適否
　本件補正後の請求項１は、本件補正前の請求項１に記載された発明特定事項である「特定領域を遊技媒体が通過したタイミングに応じて、異なる割合により通過演出を実行する演出実行手段」について、「タイミング」として「第１タイミング」と「第１タイミングとは異なる第２タイミング」があること、及び、「タイミングに応じて、異なる割合」が、「
第１タイミングにて前記特定領域を遊技媒体が通過したときと、前記第２タイミングにて前記特定領域を遊技媒体が通過したときとで、異なる割合
　そして、本件補正後の請求項１に記載された発明は、本件補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　また、本件補正は【０２０３】−【０２０５】、図２１等の記載に基づいており、新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否かについて、以下において検討する。
（１）本件補正後の請求項１に係る発明
　本件補正後の請求項１に係る発明（以下、「本願補正発明」という。）は、上記１．の本件補正の概要において示した次に特定されるとおりのものである（Ａ〜Ｅは、本願補正発明を分説するため当審で付した。）。
「Ａ　特定領域を遊技媒体が通過したことに基づいて、遊技者に遊技価値を付与可能な遊技機であって、
Ｂ　前記特定領域を遊技媒体が通過可能な第１状態と遊技媒体が通過不可能または通過困難な第２状態とに変化する可変入賞手段と、
Ｃ　少なくとも、第１タイミングにて前記特定領域を遊技媒体が通過したときと、前記第１タイミングとは異なる第２タイミングにて前記特定領域を遊技媒体が通過したときに、通過演出を実行可能な演出実行手段とを備え、
　前記演出実行手段は、前記第１タイミングにて前記特定領域を遊技媒体が通過したときと、前記第２タイミングにて前記特定領域を遊技媒体が通過したときとで、異なる割合により前記通過演出を実行可能であり、
Ｄ　前記特定領域を遊技媒体が通過したタイミングにかかわらず、前記遊技価値を付与可能である、
Ｅ　ことを特徴とする遊技機。」
（２）引用文献１に記載された発明
　原査定の拒絶理由において提示された、本願の出願前に頒布された刊行物である特開２００４−３５８１４８号公報（以下「引用文献１」という。）には、図面と共に次の事項が記載されている（下線は当審にて付した。）。
（ア）「【００３３】
　また、液晶表示装置４には、図４に示すように、
大当たり判定がなされた場合には、
所定の期間にわたる大入賞口８の開放動作が所定のラウンド数行われ
（イ）「【００３８】
　また、
大入賞口８の内部には、
特定領域８０４（いわゆるＶゾーン）と、
とが
設けられ
特定領域８０４には、領域を遊技球が通過したことを検出すると共に当該領域を通過した遊技球を計数する
Ｖカウントスイッチ８０４Ｓが
設けられている。
（ウ）「【００４２】
　また、主制御回路３０には、大入賞口８に具備される一般領域８０３を遊技球が通過したことを検出すると共に一般領域８０３を通過した遊技球を計数するカウントスイッチ８０３Ｓと、
大入賞口８に具備される特定領域８０４を遊技球が通過したことを検出すると共に特定領域８０４を通過した遊技球を計数するＶカウントスイッチ８０４Ｓ（領域通過検出手段）
大入賞口８に入球した遊技球を特定領域８０４と一般領域８０３とに振り分ける流下方向切換部材８０２
（エ）「【００４９】
　メインＣＰＵ３１は、液晶表示装置４に停止表示される結果が所定の賞態様（例えば、”３−３−３”等）を構成した場合に、所定の条件の下で所定の期間にわたって、
遊技球を受け入れない状態（蓋体８０１が閉じた状態）から遊技球を受け入れ易い状態（蓋体８０１が開いた状態）となるように大入賞口８を開放する
メインＣＰＵ３１は、当該所定の期間にわたる大入賞口８の開放動作を１ラウンドとし、当該１ラウンド内に特定領域８０４を遊技球が通過したことを条件として次のラウンドまで大入賞口８の開放動作を実行する
・・・
【００５１】
　
メインＣＰＵ３１は、大入賞口８の開放動作が実行されてから所定の基準期間が経過するまでに、Ｖカウントスイッチ８０４Ｓによる検出が行われた場合には、第１の報知をスピーカ２５Ｌ，２５Ｒ、ランプ又は液晶表示装置４に行わせる制御を実行し、大入賞口８の開放動作を実行させてから所定の基準期間が経過した後、大入賞口８の開放動作を終了させるまでの間に、Ｖカウントスイッチ８０４Ｓによる検出が行われた場合には、第１の報知とは異なる第２の報知をスピーカ２５Ｌ，２５Ｒ又は液晶表示装置４に行わせる制御を実行する報知制御手段である。
（オ）「【００７９】
　次に、本実施形態における
遊技機１０のメイン処理について説明する。
【００８０】
　図５（ｂ）に示すように、ステップ１０において、
メインＣＰＵ３１は、遊技機１０における各種設定を、前回電源を切った際の設定に復帰するか、若しくは初期化する。
　上記（ア）〜（オ）の記載事項から、以下の事項が導かれる。
（ａ）上記【００３３】には、「大当たり判定がなされた場合には、・・・所定の期間にわたる大入賞口８の開放動作が所定のラウンド数行われ」と記載され、上記【００３８】には、「大入賞口８の内部には、・・・特定領域８０４（いわゆるＶゾーン）と、・・・とが・・・設けられ」と記載され、上記【００４９】には、「メインＣＰＵ３１は、当該所定の期間にわたる大入賞口８の開放動作を１ラウンドとし、当該１ラウンド内に特定領域８０４を遊技球が通過したことを条件として次のラウンドまで大入賞口８の開放動作を実行する」と記載され、上記【００７９】、【００８０】には、「遊技機１０のメイン処理について説明する。・・・メインＣＰＵ３１は、遊技機１０における各種設定を、前回電源を切った際の設定に復帰するか、若しくは初期化する。・・・」と記載されていることから、引用文献１には、
大当たり判定がなされた場合に、所定の期間にわたる大入賞口８の開放動作が所定のラウンド数行われ、大入賞口８の内部に設けられた特定領域８０４を遊技球が通過したことを条件として次のラウンドまで大入賞口８の開放動作を実行するメインＣＰＵ３１を備える遊技機１０
（ｂ）上記【００４２】には、「大入賞口８に具備される特定領域８０４を遊技球が通過したことを検出すると共に特定領域８０４を通過した遊技球を計数するＶカウントスイッチ８０４Ｓ（領域通過検出手段）」、「大入賞口８に入球した遊技球を特定領域８０４と一般領域８０３とに振り分ける流下方向切換部材８０２」と記載され、上記【００３８】には、「大入賞口８の内部には、・・・特定領域８０４（いわゆるＶゾーン）と、・・・とが・・・設けられ」と記載され、上記【００４９】には、「遊技球を受け入れない状態（蓋体８０１が閉じた状態）から遊技球を受け入れ易い状態（蓋体８０１が開いた状態）となるように大入賞口８を開放する」と記載されていることから、引用文献１には、
入球した遊技球が通過可能な特定領域８０４が内部に設けられ、遊技球を受け入れない状態（蓋体８０１が閉じた状態）から遊技球を受け入れ易い状態（蓋体８０１が開いた状態）になる大入賞口８
（ｃ）上記【００５１】には、「メインＣＰＵ３１は、大入賞口８の開放動作が実行されてから所定の基準期間が経過するまでに、Ｖカウントスイッチ８０４Ｓによる検出が行われた場合には、第１の報知をスピーカ２５Ｌ，２５Ｒ、ランプ又は液晶表示装置４に行わせる制御を実行し、大入賞口８の開放動作を実行させてから所定の基準期間が経過した後、大入賞口８の開放動作を終了させるまでの間に、Ｖカウントスイッチ８０４Ｓによる検出が行われた場合には、第１の報知とは異なる第２の報知をスピーカ２５Ｌ，２５Ｒ又は液晶表示装置４に行わせる制御を実行する報知制御手段である。」と記載され、上記【００３８】には、「・・・特定領域８０４には、領域を遊技球が通過したことを検出すると共に当該領域を通過した遊技球を計数する・・・Ｖカウントスイッチ８０４Ｓが・・・設けられている。」と記載されていることから、引用文献１には、
大入賞口８の開放動作が実行されてから所定の基準期間が経過するまでに、Ｖカウントスイッチ８０４Ｓにより、特定領域を遊技球が通過したことを検出した場合には第１の報知をスピーカ２５Ｌ，２５Ｒ、ランプ又は液晶表示装置４に行わせる制御を実行し、大入賞口８の開放動作を実行させてから所定の基準期間が経過した後、大入賞口８の開放動作を終了させるまでの間に、Ｖカウントスイッチ８０４Ｓにより、特定領域を遊技球が通過したことを検出した場合には第１の報知とは異なる第２の報知をスピーカ２５Ｌ，２５Ｒ又は液晶表示装置４に行わせる制御を実行するメインＣＰＵ３１
（ｄ）上記（ａ）に記載したとおり、引用文献１には、
特定領域８０４を遊技球が通過したことを条件として次のラウンドまで大入賞口８の開放動作を実行する
（ｅ）上記【００７９】には、「遊技機１０」と記載されている。
　以上（ア）〜（オ）の記載事項及び上記（ａ）〜（ｅ）の認定事項を総合すれば、引用文献１には、以下の発明（以下「引用発明」という。）が記載されている（ａ〜ｅは、引用発明の構成を分説するため当審で付した。）。
「ａ　大当たり判定がなされた場合に、所定の期間にわたる大入賞口８の開放動作が所定のラウンド数行われ、大入賞口８の内部に設けられた特定領域８０４を遊技球が通過したことを条件として次のラウンドまで大入賞口８の開放動作を実行するメインＣＰＵ３１を備える遊技機１０であって、
ｂ　入球した遊技球が通過可能な特定領域８０４が内部に設けられ、遊技球を受け入れない状態（蓋体８０１が閉じた状態）から遊技球を受け入れ易い状態（蓋体８０１が開いた状態）になる大入賞口８と、
ｃ　大入賞口８の開放動作が実行されてから所定の基準期間が経過するまでに、Ｖカウントスイッチ８０４Ｓにより、特定領域を遊技球が通過したことを検出した場合には第１の報知をスピーカ２５Ｌ，２５Ｒ、ランプ又は液晶表示装置４に行わせる制御を実行し、大入賞口８の開放動作を実行させてから所定の基準期間が経過した後、大入賞口８の開放動作を終了させるまでの間に、Ｖカウントスイッチ８０４Ｓにより、特定領域を遊技球が通過したことを検出した場合には第１の報知とは異なる第２の報知をスピーカ２５Ｌ，２５Ｒ又は液晶表示装置４に行わせる制御を実行するメインＣＰＵ３１とを備え、
ｄ　特定領域８０４を遊技球が通過したことを条件として次のラウンドまで大入賞口８の開放動作を実行する、
ｅ　遊技機１０。」
（３）対比
　本願補正発明と引用発明とを対比する。なお、見出し（ａ）〜（ｅ）は、本願補正発明の特定事項Ａ〜Ｅ、引用発明の特定事項ａ〜ｅに対応させている。
（ａ）引用発明の「特定領域８０４」、「遊技球」は、それぞれ、本願補正発明の「特定領域」、「遊技媒体」に相当する。また、引用発明における「次のラウンドまで大入賞口８の開放動作を実行する」ことは、本願補正発明の「遊技者に遊技価値を付与可能」であることに相当する。してみると、引用発明の「大当たり判定がなされた場合には、所定の期間にわたる大入賞口８の開放動作が所定のラウンド数行われ、大入賞口８の内部に設けられた特定領域８０４を遊技球が通過したことを条件として次のラウンドまで大入賞口８の開放動作を実行するメインＣＰＵ３１を備える遊技機１０」は、本願補正発明の「特定領域を遊技媒体が通過したことに基づいて、遊技者に遊技価値を付与可能な遊技機」に相当する。
（ｂ）引用発明の「特定領域８０４が内部に設けられ」た「大入賞口８」が「遊技球を受け入れ易い状態（蓋体８０１が開いた状態）」は、本願補正発明の「前記特定領域を遊技媒体が通過可能な第１状態」に相当し、引用発明の「特定領域８０４が内部に設けられ」た「大入賞口８」が「遊技球を受け入れない状態（蓋体８０１が閉じた状態）」は、本願補正発明の「前記特定領域を」「遊技媒体が通過不可能」「な第２状態」に相当する。してみると、引用発明の「入球した遊技球が通過可能な特定領域８０４が内部に設けられ、遊技球を受け入れない状態（蓋体８０１が閉じた状態）から遊技球を受け入れ易い状態（蓋体８０１が開いた状態）になる大入賞口８」は、本願補正発明の「前記特定領域を遊技媒体が通過可能な第１状態と遊技媒体が通過不可能または通過困難な第２状態とに変化する可変入賞手段」に相当する。
（ｃ）引用発明の「大入賞口８の開放動作が実行されてから所定の基準期間が経過するまで」、「大入賞口８の開放動作を実行させてから所定の基準期間が経過した後」、「特定領域を遊技球が通過」することは、それぞれ、本願補正発明の「第１タイミング」、「第２タイミング」、「特定領域を遊技媒体が通過」することに相当する。
　そして、引用発明における「第１の報知」は、「大入賞口８の開放動作が実行されてから所定の基準期間が経過するまでに、Ｖカウントスイッチ８０４Ｓにより、特定領域を遊技球が通過したことを検出した場合に」行われる、つまり第１タイミングにて特定領域を遊技球が通過したときに１００％の割合で行われるものであり、「第２の報知」は、「大入賞口８の開放動作を実行させてから所定の基準期間が経過した後、大入賞口８の開放動作を終了させるまでの間に、Ｖカウントスイッチ８０４Ｓにより、特定領域を遊技球が通過したことを検出した場合に」行われる、つまり第２タイミングにて特定領域を遊技球が通過したときに１００％の割合で行われるものであることから、引用発明のＣＰＵ３１は、「大入賞口８の開放動作が実行されてから所定の基準期間が経過するまでに、Ｖカウントスイッチ８０４Ｓにより、特定領域を遊技球が通過したことを検出した場合」と「大入賞口８の開放動作を実行させてから所定の基準期間が経過した後、大入賞口８の開放動作を終了させるまでの間に、Ｖカウントスイッチ８０４Ｓにより、特定領域を遊技球が通過したことを検出した場合」とで、「第１の報知」と「第２の報知」とを異なる割合により実行可能であるといえる。
　してみると、引用発明の「ＣＰＵ３１」は、本願補正発明の「演出実行手段」に相当し、引用発明における「大入賞口８の開放動作が実行されてから所定の基準期間が経過するまでに、Ｖカウントスイッチ８０４Ｓにより、特定領域を遊技球が通過したことを検出した場合には第１の報知をスピーカ２５Ｌ，２５Ｒ、ランプ又は液晶表示装置４に行わせる制御を実行し、大入賞口８の開放動作を実行させてから所定の基準期間が経過した後、大入賞口８の開放動作を終了させるまでの間に、Ｖカウントスイッチ８０４Ｓにより、特定領域を遊技球が通過したことを検出した場合には第１の報知とは異なる第２の報知をスピーカ２５Ｌ，２５Ｒ又は液晶表示装置４に行わせる制御を実行するメインＣＰＵ３１とを備え」ることは、本願補正発明における「少なくとも、第１タイミングにて前記特定領域を遊技媒体が通過したときと、前記第１タイミングとは異なる第２タイミングにて前記特定領域を遊技媒体が通過したときに、通過演出を実行可能な演出実行手段とを備え、前記演出実行手段は、前記第１タイミングにて前記特定領域を遊技媒体が通過したときと、前記第２タイミングにて前記特定領域を遊技媒体が通過したときとで、異なる割合により前記通過演出を実行可能であ」ることに相当する。
（ｄ）引用発明は「特定領域８０４を遊技球が通過したことを条件として次のラウンドまで大入賞口８の開放動作を実行する」ものであり、特定領域を遊技球が通過したタイミングにかかわらず「次のラウンドまで大入賞口８の開放動作を実行する」ことから、引用発明における「特定領域８０４を遊技球が通過したことを条件として次のラウンドまで大入賞口８の開放動作を実行する」ことは、本願補正発明における「前記特定領域を遊技媒体が通過したタイミングにかかわらず、前記遊技価値を付与可能である」ことに相当する。
（ｅ）引用発明と本願補正発明は共に「遊技機」に関する発明である点で一致する。
　上記（ａ）〜（ｅ）によれば、本願補正発明と引用発明とは、
「Ａ　特定領域を遊技媒体が通過したことに基づいて、遊技者に遊技価値を付与可能な遊技機であって、
Ｂ　前記特定領域を遊技媒体が通過可能な第１状態と遊技媒体が通過不可能または通過困難な第２状態とに変化する可変入賞手段と、
Ｃ　少なくとも、第１タイミングにて前記特定領域を遊技媒体が通過したときと、前記第１タイミングとは異なる第２タイミングにて前記特定領域を遊技媒体が通過したときに、通過演出を実行可能な演出実行手段とを備え、
　前記演出実行手段は、前記第１タイミングにて前記特定領域を遊技媒体が通過したときと、前記第２タイミングにて前記特定領域を遊技媒体が通過したときとで、異なる割合により前記通過演出を実行可能であり、
Ｄ　前記特定領域を遊技媒体が通過したタイミングにかかわらず、前記遊技価値を付与可能である、
Ｅ　ことを特徴とする遊技機。」
である点で一致し、相違する点はない。
（４）判断
　したがって、本願補正発明は、引用発明であり、引用文献１に記載された発明である。
（５）請求人の主張について
　請求人は、審判請求書３．において、「本願の請求項１に係る発明において、演出実行手段は、少なくとも、第１タイミングにて特定領域を遊技媒体が通過したときと、第１タイミングとは異なる第２タイミングにて特定領域を遊技媒体が通過したときに、通過演出を実行可能にしています。そして、第１タイミングにて特定領域を遊技媒体が通過したときと、第２タイミングにて特定領域を遊技媒体が通過したときとで、異なる割合により通過演出を実行可能です。」、「引用文献１に記載された発明では、基準時間以内に遊技球が入球すれば第１の報知を行わせ、基準時間を経過した後に遊技球が入球すれば第１の報知とは異なる第２の報知を行わせるので、遊技球が入球するタイミングによって報知の内容に偏りが生じ、遊技者に煩雑な報知の印象を与えてしまい、遊技興趣を低下させるおそれがあるという問題が生じます。・・・本願の請求項１に係る発明は、第１タイミングでも第２タイミングでも特定領域を遊技媒体が通過したときに実行可能な通過演出を、第１タイミングにて通過したときと、第２タイミングにて通過したときとで、異なる割合により実行可能であるので、遊技媒体が通過したタイミングを遊技者が認識可能としつつ、実行される通過演出の内容に偏りが生じることを防止できます。そうして、本願の請求項１に係る発明は、遊技者に煩雑な演出の印象を与えないようにして、遊技興趣の低下を防止することで、上記の問題を解決できる有利な効果が得られます。」と主張している。
　しかし、請求人が本願補正発明について主張する、「演出実行手段は、少なくとも、第１タイミングにて特定領域を遊技媒体が通過したときと、第１タイミングとは異なる第２タイミングにて特定領域を遊技媒体が通過したときに、通過演出を実行可能」、「第１タイミングにて特定領域を遊技媒体が通過したときと、第２タイミングにて特定領域を遊技媒体が通過したときとで、異なる割合により通過演出を実行可能」との点は、上記（３）対比（ｃ）で示したように、引用発明においても備えているものであり、請求人が主張する「遊技媒体が通過したタイミングを遊技者が認識可能としつつ、実行される通過演出の内容に偏りが生じることを防止でき」る、との効果は、引用発明においても期待できるものである。
　なお、請求人は、効果について、「遊技者に煩雑な演出の印象を与えないようにして、遊技興趣の低下を防止することで、上記の問題を解決できる有利な効果が得られます。」との主張もしているが、本願補正発明で特定される技術的事項に由来するものではなく、当該主張を参酌することはできない。
　よって、請求人の主張は採用できない。
（６）小括
　以上のように、本願補正発明は、引用発明と同一の発明であるから、特許法第２９条第１項第３号に該当し、特許出願の際独立して特許を受けることはできない。
４．補正却下の決定についてのむすび
　上記３．において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１．本願発明
　本件補正は、上記のとおり却下されたので、本願の請求項１に係る発明（以下「本願発明」という。）は、平成２９年４月２５日に提出された手続補正書により補正された、上記第２の１．で示した特許請求の範囲の請求項１に記載された次のとおりのものである。
「【請求項１】
　特定領域を遊技媒体が通過したことに基づいて、遊技者に遊技価値を付与可能な遊技機であって、
　前記特定領域を遊技媒体が通過可能な第１状態と遊技媒体が通過不可能または通過困難な第２状態とに変化する可変入賞手段と、
　前記特定領域を遊技媒体が通過したタイミングに応じて、異なる割合により通過演出を実行する演出実行手段とを備え、
　前記特定領域を遊技媒体が通過したタイミングにかかわらず、前記遊技価値を付与可能である、
　ことを特徴とする遊技機。」
２．原査定における拒絶の理由
　原査定の拒絶の理由である理由１は、本願は、その出願前に日本国内において頒布された下記の刊行物に記載された発明であるから、特許法第２９条第１項第３号に該当し、特許を受けることができない、というものである。
　引用文献１　特開２００４−３５８１４８号公報
３．引用文献１に記載された事項
　原査定の拒絶の理由に引用された引用文献１の記載事項は、上記第２の３．（２）に記載したとおりである。
４．対比・判断
　本願発明は、本願補正発明の発明特定事項から、「演出実行手段」の処理に関して、「タイミング」について、「第１タイミング」と「第１タイミングとは異なる第２タイミング」があるという限定、「タイミングに応じて、異なる割合」について、「
第１タイミングにて前記特定領域を遊技媒体が通過したときと、前記第２タイミングにて前記特定領域を遊技媒体が通過したときとで、異なる割合
　そうすると、本願発明の発明特定事項を全て含む本願補正発明が、上記第２の３．（３）で検討したとおり、引用発明と同一の発明であるから、本願発明も、同様の理由により、引用発明と同一の発明である。
５．むすび
　以上のとおり、本願発明は、引用文献１に記載された発明であり、特許法第２９条第１項第３号に該当し特許を受けることができないものである。
　したがって、本願は拒絶すべきものである。
　よって、結論のとおり審決する。